(57)【要約】【課題】浴室の天井に埋め込むようにして設置する機体２内に、機体の下面開口部を覆うカバー３に並設した吸込み口４と吹出し口５とを結ぶ通風路６を画成し、通風路に、循環ファン７と加熱手段８とを配置した天井埋め込み型浴室暖房機であって、カバーに噴霧口１０を設け、この噴霧口に臨ませて浴室に湯水をミスト状に噴出する噴霧ヘッド１１を配置するものにおいて、ミスト運転時に循環ファンを作動させたときの湯水ミストの吸込み口への吸込みを抑制して、水滴が滴下することを防止できるようにする。【解決手段】噴霧口１０を、吹出し口５を挟んで吸込み口４と反対側に設ける。吹出し口５から送風される空気流が噴霧口１０と吸込み口４とを仕切るエアカーテンとして機能し、吸込み口４への湯水ミストの吸込みが防止される。【選択図】図２
2007051816.tif 000002
【特許請求の範囲】
【請求項１】
浴室の天井に埋め込むようにして設置する機体内に、機体の下面開口部を覆うカバーに並設した吸込み口と吹出し口とを結ぶ通風路を画成し、通風路に、循環ファンと加熱手段とを配置した天井埋め込み型浴室暖房機であって、カバーに噴霧口を設け、この噴霧口に臨ませて浴室に湯水をミスト状に噴出する噴霧ヘッドを配置するものにおいて、
噴霧口は、吹出し口を挟んで吸込み口と反対側に位置するカバーの部分に設けられていることを特徴とするミスト機能付き天井埋め込み型浴室暖房機。
【請求項２】
前記噴霧口は、前記吹出し口に隣接するように形成されていることを特徴とする請求項１記載のミスト機能付き天井埋め込み型浴室暖房機。
【発明の詳細な説明】
【技術分野】
【０００１】
本発明は、浴室に湯水をミスト状に噴出することが可能なミスト機能付き天井埋め込み型浴室暖房機に関する。
【背景技術】
【０００２】
天井埋め込み型浴室暖房機は、浴室の天井に埋め込むようにして設置する機体内に、機体の下面開口部を覆うカバーに並設した吸込み口と吹出し口とを結ぶ通風路を画成し、通風路に、循環ファンと加熱手段とを配置し、加熱手段により加熱された空気を循環ファンにより浴室に循環させて浴室の暖房を行うように構成されている。
【０００３】
従来、このような天井埋め込み型浴室暖房機において、カバーに噴霧口を設けると共に、噴霧口に臨ませて噴霧ヘッドを配置し、浴室に噴霧ヘッドから湯水をミスト状に噴出させて、ミストサウナ効果を得られるようにしたものが知られている(例えば、特許文献１参照)。
【０００４】
このもので噴霧口は、吸込み口の外側のカバーの部分に設けられている。ここで、サウナ効果を高めるため、湯水をミスト状に噴出するミスト運転と同時に加熱手段により加熱された空気を循環ファンにより循環させる暖房運転を行うことがある。このようにミスト運転時に循環ファンを作動させると、湯水ミストの一部が噴出口に近い吸込み口に循環ファンの吸引力により吸込まれ、水滴となって凝集する。そして、凝集した水滴が次第に成長し、遂には入浴中の人に滴下して、不快感を与えることがある。
【特許文献１】特開２００２−３３６３２７号公報
【発明の開示】
【発明が解決しようとする課題】
【０００５】
本発明は、以上の点に鑑み、ミスト運転時に循環ファンを作動させたときの湯水ミストの吸込み口への吸込みを抑制して、水滴の成長、滴下を防止できるようにしたミスト機能付き天井埋め込み型浴室暖房機を提供することをその課題としている。
【課題を解決するための手段】
【０００６】
上記課題を解決するために、本発明は、浴室の天井に埋め込むようにして設置する機体内に、機体の下面開口部を覆うカバーに並設した吸込み口と吹出し口とを結ぶ通風路を画成し、通風路に、循環ファンと加熱手段とを配置した天井埋め込み型浴室暖房機であって、カバーに噴霧口を設け、この噴霧口に臨ませて浴室に湯水をミスト状に噴出する噴霧ヘッドを配置するものにおいて、噴霧口は、吹出し口を挟んで吸込み口と反対側に位置するカバーの部分に設けられていることを特徴とする。
【０００７】
本発明によれば、ミスト運転時に循環ファンを作動させても、吹出し口から浴室内に送風される空気流が噴霧口と吸込み口との間を仕切るエアカーテンとして機能し、湯水ミストの吸込み口への吸込みが効果的に抑制される。従って、吸込み口に吸込まれた温水ミストが水滴となって凝集、成長し、入浴中の人に滴下して不快感を与えるといった不具合を防止できる。
【０００８】
尚、噴霧口は、吹出し口に隣接するように形成されていることが望ましい。これによれば、噴霧ヘッドも吹出し口に隣接して配置されることになり、浴室暖房機のコンパクト化を図ることができる。更には、噴霧ヘッドからの湯水ミストが吹出し口から送風される空気流に乗りやすくなり、湯水ミストを広範囲に行き渡らせることが可能になる。
【発明を実施するための最良の形態】
【０００９】
図１を参照して、１は浴室ＢＲに配置した天井埋め込み型の浴室暖房機である。この浴室暖房機１は、図２に示す如く、浴室ＢＲの天井ＢＲａに埋め込むようにして設置する機体２と、天井ＢＲａに開設した開口を通して浴室ＢＲに臨む機体２の下面開口部を天井ＢＲａの下側から覆うカバー３とを備えている。
【００１０】
機体２内には、カバー３に並設した吸込み口４と吹出し口５とを結ぶ通風路６が画成されている。そして、通風路６に、浴室ＢＲ内の空気を吸込み口４から吸込んで、吹出し口５から浴室ＢＲ内に送風する循環ファン７を配置している。また、通風路６に、循環ファン７の上流側に位置させて加熱手段８を配置している。本実施形態の加熱手段８は、図外の熱源機から供給される温水を流す放熱器で構成されている。
【００１１】
循環ファン７と加熱手段８とを共に作動させる暖房運転を行うと、加熱手段８で加熱された空気が循環ファン７により浴室ＢＲに循環され、浴室ＢＲの暖房が行われる。尚、吹出し口５には、送風方向を変えるための可動ルーバー９が設けられている。
【００１２】
また、吹出し口５を挟んで吸込み口４と反対側に位置するカバー３の部分には噴霧口１０が設けられている。そして、カバー３に、噴霧口１０に臨ませて噴霧ヘッド１１を配置している。噴霧ヘッド１１には、給湯管１２を介して熱源機からの湯水が供給され、この湯水が噴霧ヘッド１１から浴室内にミスト状に噴出される。給湯管１２は、上下方向に伸縮自在な蛇腹管１２ａを介して噴霧ヘッド１１に接続されている。従って、機体２に固定される給湯管１２の部分と噴霧ヘッド１１との間の上下方向距離が天井ＢＲａの板厚により変化しても、これを蛇腹管１２ａの伸縮で吸収できる。
【００１３】
噴霧ヘッド１１は、図２の紙面垂直方向に長手のパイプ状本体１１ａに１つまたは複数の噴霧ノズル１１ｂを取付けて成るものである。そして、噴霧ヘッド１１をパイプ状本体１１ａの軸線回りに回動自在とし、この回動で湯水ミストの噴出方向を変えることができるようにしている。
【００１４】
また、噴霧口１０は、吹出し口５に隣接するように形成されている。そのため、噴霧ヘッド１１も吹出し口５に隣接して配置されることになり、浴室暖房機１のコンパクト化を図ることができる。尚、給湯管１２を配置した機体１内の図２で右側の空間には、図示省略した換気ファンを配置し、浴室内空気を外部に排出できるようにしている。
【００１５】
ところで、浴室ＢＲの洗い場ＢＲｂの真上の天井部に機器点検用の点検口を設ける必要があることから、浴室暖房機１は浴槽ＢＲｃの真上の天井部に設置される。この場合、吹出し口５が浴室ＢＲの壁寄り、吸込み口４が洗い場ＢＲｂ寄りに位置していると、洗い場ＢＲｂに効率良く温風が送風されなくなるため、吹出し口５が洗い場ＢＲｂ寄りに位置するようにしている。ここで、吸込み口４の外側のカバー３の部分に上記従来例のように噴霧口を設ければ、ミスト運転時に人の居場所となる洗い場ＢＲｂと噴霧口との間の距離を大きく取ることができる。そして、噴霧ヘッドから洗い場ＢＲｂに向けて斜め横方向に湯水ミストを噴出することにより、湯水ミストが十分に拡散した状態で洗い場ＢＲｂに到達し、洗い場ＢＲｂに広範囲に亘って湯水ミストが行き渡る。
【００１６】
然し、これでは、噴霧ヘッドから湯水ミストを噴出するミスト運転時に循環ファン７を作動させると、循環ファン７の吸引力により湯水ミストの一部が吸込み口４に吸込まれて水滴となって凝集し、水滴が成長して遂には滴下する。然し、本実施形態では、噴霧口１０が吹出し口５を挟んで吸込み口４と反対側に位置するため、吹出し口５から浴室ＢＲ内に送風される空気流(図１のａ)が湯水ミストの流れ(図１のｂ)と吸込み口４に吸引される空気流(図１のｃ)との間を仕切るエアカーテンとして機能し、湯水ミストの吸込み口４への吸込みが効果的に抑制される。従って、吸込み口４に吸込まれた温水ミストが水滴となって凝集、成長し、入浴中の人に滴下して不快感を与えるといった不具合は生じない。
【００１７】
尚、本実施形態では、噴霧口１０が最も洗い場ＢＲｂ寄りに位置することになり、噴霧ヘッド１１からの湯水ミストが十分に拡散する間もなく洗い場ＢＲｂに到達してしまう可能性がある。然し、噴霧口１０は吹出し口５に隣接しているため、吹出し口５から送風される空気流に湯水ミストが乗りやすくなる。そして、噴霧ヘッド１１からの湯水ミストの噴出方向に合わせて吹出し口５からの送風方向を制御すれば、洗い場ＢＲｂに広範囲に亘って湯水ミストを行き渡らせることができる。
【００１８】
以上、本発明の実施形態について図面を参照して説明したが、本発明はこれに限定されない。例えば、加熱手段８として、上記実施形態の放熱器に代えて電気ヒータを用いても良い。
【図面の簡単な説明】
【００１９】
【図１】本発明の実施形態の浴室暖房機を配置した浴室を示す図。
【図２】実施形態の浴室暖房機の断面図。
【符号の説明】
【００２０】
ＢＲ…浴室、ＢＲａ…天井、１…浴室暖房機、２…機体、３…カバー、４…吸込み口、５…吹出し口、６…通風路、７…循環ファン、８…加熱手段、１０…噴霧口、１１…噴霧ヘッド。
【図１】
2007051816.tif 000003
【図２】
2007051816.tif 000004